(57)【特許請求の範囲】
【請求項１】
１枚のブランクシートから一体的に打ち抜かれた箱体形成片から成り、互いに連接された側面と、組み立て状態で連接された側面で形成される一開口端部を閉鎖する底部が設けられ、
前記底部は、前記一側面に連続し前記底部の一部を形成する第一底蓋片と、前記第一底蓋片に対向する側面から延出した第二底蓋片と、前記第一底蓋片と前記第二底蓋片の間に位置する一対の側面から延出した一対の底フラップが、各々側面と折罫線で区切られて設けられ、
前記第一底蓋片と前記第二底蓋片には、前記折罫線と反対側の端部に、隣接する前記底フラップに向かって突出し糊付けされる底部糊付片と、前記底部糊付片と反対側に設けられ組立状態で対向する前記第二底蓋片または前記第一底蓋片に重ねられる底部差込片と、前記底部差込片と前記底部糊付片の間に設けられ前記端部より外側に突出するロック片が各々設けられ、
前記底部差込片と前記ロック片の、前記底部糊付片に近い基端部には、前記底部差込片と前記ロック片の中心側へ窪む凹部が設けられ、
前記ロック片は、前記第一底蓋片及び前記第二底蓋片の各前記端部から離れるに従い、前記底部差込片に向かって突出する鋭角の先端部を有した三角形状に形成され、前記底部差込片及び前記ロック片の、前記凹部が設けられている縁部は、前記凹部どうしが係止される工程の途中で互いに対向する前記底部差込片または前記ロック片に当接するように傾斜し、
箱体の組立状態で、前記第一底蓋片の前記底部差込片の凹部と前記第二底蓋片の前記ロック片の凹部が互いに係止され、前記第一底蓋片の前記ロック片の凹部と前記第二底蓋片の前記底部差込片の凹部が互いに係止され、前記一対のロック片の、前記凹部と反対側の基端部どうしが互いに当接して係止され、少なくとも３ヶ所でロックして折り畳み状態に戻ることを防ぎ、底部の形状を保持することを特徴とする脱落防止包装用箱。
【発明の詳細な説明】
【技術分野】
【０００１】
この発明は、底部がワンタッチで組み立てられる構造を有する脱落防止包装用箱に関する。
【背景技術】
【０００２】
従来、１枚のブランクシートから一体に打ち抜かれた箱体形成片を組み立てた包装用箱には、互いに連接する側面が糊付けされて折り畳まれた状態から、側面を四角形の箱体に組み立てるときに、底蓋片が同時に引き起こされて底部がワンタッチで形成されるものがある。特許文献１に開示されている包装用箱には、連接する４つの側面のうち、互いに平行に位置する側面の、連接方向に対して平行に位置する端部には底蓋片がそれぞれ折罫線で区切られて設けられている。底蓋片が設けられていない側面には、フラップがそれぞれ折罫線で区切られて設けられている。底蓋片とフラップは、包装用箱の折り畳み状態で互いに糊付けされている。この包装用箱を、糊付けされて折り畳まれた状態から、四角形の箱体に組み立てるときに、各底蓋片は側面からフラップとともに引き起こされて折罫線で直角に正折りされる。そして、一対の底蓋片の一部分が、互いに重なり、確実に係止されて底面を形成する。また、底蓋片どうしの係止を確実なものにするものとして、特許文献２に開示されている仕切付包装用箱がある。これは、底蓋片の端縁部に、箱体の組立状態で底蓋片がたがいに係合する切り欠き部が形成され、折り畳み状態に戻ることを防ぐものである。
【先行技術文献】
【特許文献】
【０００３】
【特許文献１】特開２００５−１１２３８４号公報
【特許文献２】特開平１０−７７０２５号公報
【発明の概要】
【発明が解決しようとする課題】
【０００４】
上記背景技術の場合、底蓋片どうしの係合が十分に強いものではなく、重量の重い商品を収容した場合などには、商品が脱落する恐れがあった。また底蓋片どうしの間に隙間が生じることがあり、隙間を小さくすることは考慮されていないものである。
【０００５】
この発明は、上記背景技術の問題点に鑑みてなされたものであり、高い強度で確実に底部が形成され箱体の組立状態を維持することができる脱落防止包装用箱を提供することを目的とする。
【課題を解決するための手段】
【０００６】
本発明は、１枚のブランクシートから一体的に打ち抜かれた箱体形成片から成り、互いに連接された側面と、組み立て状態で連接された側面で形成される一開口端部を閉鎖する底部が設けられ、前記底部は、前記一側面に連続し前記底部の一部を形成する第一底蓋片と、前記第一底蓋片に対向する側面から延出した第二底蓋片と、前記第一底蓋片と前記第二底蓋片の間に位置する一対の側面から延出した一対の底フラップが、各々側面と折罫線で区切られて設けられている脱落防止包装用箱である。前記第一底蓋片と前記第二底蓋片には、前記折罫線と反対側の端部に、隣接する前記底フラップに向かって突出し糊付けされる底部糊付片と、前記底部糊付片と反対側に設けられ組立状態で対向する前記第二底蓋片または前記第一底蓋片に重ねられる底部差込片と、前記底部差込片と前記底部糊付片の間に設けられ前記端部より外側に突出するロック片が設けられている。前記底部差込片と前記ロック片の、前記底部糊付片に近い基端部には、前記底部差込片と前記ロック片の中心側へ窪む凹部が設けられている。脱落防止包装用箱の組立状態で、前記第一底蓋片の前記底部差込片の凹部と前記第二底蓋片の前記ロック片の凹部が互いに係止され、前記第一底蓋片の前記ロック片の凹部と前記第二底蓋片の前記底部差込片の凹部が互いに係止され、前記一対のロック片の、凹部と反対側の基端部どうしが互いに当接して係止され、少なくとも３ヶ所でロックして折り畳み状態に戻ることを防ぎ、底部の形状を保持するものである。
【０００７】
さらに、前記ロック片は、前記第一底蓋片及び前記第二底蓋片の各前記端部から離れるに従い、前記底部差込片に向かって突出する鋭角の先端部を有した三角形状に形成されている。前記底部差込片及び前記ロック片の、前記凹部が設けられている側縁部は、前記凹部どうしが係止される工程の途中で互いに対向する前記底部差込片または前記ロック片に当接するように傾斜している。
【発明の効果】
【０００８】
本発明の脱落防止包装用箱は、簡単な構造によりワンタッチで箱体を形成することができ、第一底蓋片と第二底蓋片を互いに確実にロックすることができる。さらに、底部の形状を高い強度で維持することができ、第一底蓋片と第二底蓋片の隙間を少なくすることができる。そして、組み立てた脱落防止包装用箱は、折り畳み状態に後戻りせず、組立作業の効率が良好となる。
【図面の簡単な説明】
【０００９】
【図１】この発明の一実施形態の脱落防止包装用箱の展開図である。
【図２】この実施形態の脱落防止包装用箱の底部を真上から見た平面図である。
【図３】この実施形態の脱落防止包装用箱の底部を真下から見た底面図である。
【発明を実施するための形態】
【００１０】
以下、この発明の実施形態について図面に基づいて説明する。図１〜図３はこの発明の一実施形態を示すもので、この実施形態の脱落防止包装用箱１０は、厚紙等の１枚のブランクシートを打ち抜いて形成された箱体形成片１２を組み立てて形成されている。
【００１１】
図１は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が長くて互いにほぼ等しく、側面１６，２０はやや短くて互いにほぼ等しい。さらに側面１４の側縁部には、脱落防止包装用箱１０の組立状態で側面２０の裏面に糊付けされる糊付片２２が設けられている。糊付片２２、側面１４，１６，１８，２０は、各々折罫線２４，２６，２８，３０で区切られている。
【００１２】
側面１４において、側面どうしの連接方向に対して直角な方向の一端部には、上蓋片３２が折罫線３４で区切られて設けられている。上蓋片３２の折罫線３４の反対側の端部には、さらに上蓋差込片３６が折罫線３８で区切られて設けられている。
【００１３】
側面１４の、折罫線３４と反対側の端部には、第一底蓋片４０が折罫線４２で区切られて設けられている。第一底蓋片４０は、折罫線４２を下底とする台形状に形成され、折罫線４２からそれに対して平行な上底である端部４０ａまでの長さは、脱落防止包装用箱１０の組立状態で底部の中心線付近に位置する長さ、つまり側面１６，２０の約半分の幅に設けられている。端部４０ａには、糊付片２２に近い位置に、端部４０ａから外側に突出する小形の四角形状の第一底部差込片４４が一体に設けられている。第一底部差込片４４の、糊付片２２と反対側の基端部には、端部４０ａとの境界部分に、第一底部差込片４４の内側に向かって窪む凹部４６が形成されている。第一底部差込片４４の、凹部４６に連続する縁部４４ａは、凹部４６に近づくにつれて端部４０ａに近づくように傾斜している。端部４０ａの、側面１６側の部分は、略三角形の底部糊付片４８が折罫線５０で区切られて設けられている。折罫線５０は、折罫線４２に対して鋭角で交差する方向に設けられている。端部４０ａの、底部糊付片４８の第一底部差込片４４側には、端部４０ａよりも外側に突出する第一ロック片５２が隣接して設けられている。第一ロック片５２は、端部４０ａから離れるに従い、第一底部差込片４４に向かって突出する鋭角の三角形状に形成されている。第一ロック片５２の、底部糊付片４８側の基端部には、第一ロック片５２の内側に向かって窪む凹部５４が形成されている。第一ロック片５２の、凹部５４に連続する縁部５２ａは、凹部５４に近づくにつれて折罫線５０に近づくように傾斜している。
【００１４】
側面１６の、側面１４の折罫線３４に連接する端部には、台形状の上フラップ５６が折罫線５８で区切られて設けられている。側面１６の、折罫線５８と反対側の端部には、三角形状の底フラップ６０が折罫線６２で区切られて設けられている。
【００１５】
側面１８の、側面１６の折罫線６２に隣接する端部には、第一底蓋片４０と同じ形状の第二底蓋片６４が折罫線６６で区切られて設けられている。第二底蓋片６４は、折罫線６６を下底とする台形状に形成され、折罫線６６からそれに対して平行な上底である端部６４ａまでの長さは、脱落防止包装用箱１０の組立状態で底部の中心線付近に位置する長さ、つまり側面１６，２０の約半分の幅に設けられている。第二底蓋片６４には、底フラップ６０に近い位置に、端部６４ａから外側に突出する小形の四角形状の第二底部差込片６８が一体に設けられている。第二底部差込片６８の、底フラップ６０と反対側の基端部には、端部６４ａとの境界部分に、第二底部差込片６８の内側に向かって窪む凹部７０が形成されている。第二底部差込片６８の、凹部７０に連続する縁部６８ａは、凹部７０に近づくにつれて縁部６４ａに近づくように傾斜している。端部６４ａの、側面２０側の部分は、略三角形の底部糊付片７２が折罫線７４で区切られて設けられている。折罫線７４は、折罫線６６に対して鋭角で交差する方向に設けられている。端部６４ａの、底部糊付片７２の第二底部差込片６８側には、端部６４ａよりも外側に突出する第二ロック片７６が隣接して設けられている。第二ロック片７６は、端部６４ａから離れるに従い、第二底部差込片６８に向かって突出する鋭角の三角形状に形成されている。第二ロック片７６の、底部糊付片７２側の基端部には、第二ロック片７６の内側に向かって窪む凹部７８が形成されている。第二ロック片７６の、凹部７８に連続する縁部７６ａは、凹部７８に近づくにつれて折罫線７４に近づくように傾斜している。
【００１６】
側面２０の、側面１８の第二底蓋片６４と反対側の端部に連接する端部には、台形状の上フラップ８０が折罫線８２で区切られて設けられている。側面２０の、折罫線８２と反対側の端部には、三角形状の底フラップ８４が折罫線８６で区切られて設けられている。
【００１７】
次に、この実施形態の脱落防止包装用箱１０の組み立て方法について説明する。なお、ここでは図１が脱落防止包装用箱１０の箱体形成片１２の表面を見たものであり、箱体形成片１２の表面が凸になる折り方を正折り、そして裏面が凸になる折り方を逆折りと称する。
【００１８】
まず、折罫線４２，６２，６６，８６で、第一底蓋片４０、底フラップ６０、第二底蓋片６４、底フラップ８４を正折りし、次に第一底蓋片４０の折罫線５０と、第二底蓋片６４の折罫線７４を逆折りし、底部糊付片４８，７２の裏面に、それぞれ糊８８，９０を塗布する。次に、折罫線２６を正折りし、更に糊付片２２の表面に糊９２を塗布する。そして、折罫線３０を正折りする。これにより、側面２０は糊付片２２の表面に糊９２で糊付けされる。第一底蓋片４０の底部糊付片４８裏面は、糊８８により底フラップ６０の表面に糊付けされ、第二底蓋片６４の底部糊付片７２の裏面は、糊９０により底フラップ８４の表面に糊付けされる。これにより箱体形成片１２は折り畳み状態となり、この状態で出荷される。
【００１９】
次に、内容物を収容し包装する工場等において、折罫線２４，２６，２８，３０を各々９０度に正折りして四角形の箱体にする。このとき、第一底蓋片４０の底部糊付片４８は底フラップ６０に、第二底蓋片６４の底部糊付片７２は底フラップ８４に糊付けされているため、二つ折りされていた折罫線４２，６２，６６，８６は自動的に引き起こされてほぼ９０度に開き、底部が形成される。
【００２０】
底部が形成される途中で、第一底蓋片４０の第一底部差込片４４の縁部４４ａと、第二底蓋片６４の第二ロック片７６の縁部７６ａは徐々に近づいて当接して押され、また第一底蓋片４０の第一ロック片５２の縁部５２ａと、第二底蓋片６４の第二底部差込片６８の縁部６８ａは徐々に近づいて当接して押され、各々にたわみが生じる。さらに近づくと、第一底蓋片４０の凹部４６と第二底蓋片６４の凹部７８が互いに係止され、第一底蓋片４０の凹部５４と第二底蓋片６４の凹部７０が互いに係止され、第一底蓋片４０と第二底蓋片６４のたわみが解消され、確実に係止される。そして、第一底蓋片４０の第一底部差込片４４と第一ロック片５２は、第二底蓋片６４の裏面に差し込まれる。第二底蓋片６４の第二底部差込片６８と第二ロック片７６は、第一底蓋片４０の裏面に差し込まれ、互いに係止される。さらに、第一ロック片５２と第二ロック片７６は、凹部５４，７８と反対側の基端部どうしが当接する。これにより、第一底蓋片４０と第二底蓋片６４は３ヶ所で互いに係止され、底部が確実にロックされ箱体の底部の形状を保ち、折り畳み状態に戻ることを防ぐ。
【００２１】
この状態で内容物を箱体の中に入れ、折罫線５８，８２で上フラップ５６，上フラップ８０を正折りし、その後折罫線３４で上蓋片３２を正折りし、さらに折罫線３８を正折りして上蓋差込片３６を側面１８の裏面側に差し込み、閉鎖する。
【００２２】
この実施形態の脱落防止包装用箱１０によれば、簡単な構造によりワンタッチで箱体の底部を形成することができ、以下の作用効果を奏するものである。まず、第一底蓋片４０と第二底蓋片６４を互いにロックすることができ、確実に箱体の底部の形状を維持することができる。折罫線２４，２６，２８，３０を各々９０度に正折りして四角形の箱体にする工程だけで、底部がワンタッチで簡単に高い強度で係止され、特別な工程が不要である。そして、第一底蓋片４０の凹部４６と第二底蓋片６４の凹部７８の係合と、第一底蓋片４０の凹部５４と第二底蓋片６４の凹部７０の係合、第一ロック片５２と第二ロック片７６の係合により、ロック機構が３ヶ所形成される。これにより、高い強度で底部の形状が維持されるとともに、平坦で第一底蓋片４０と第二底蓋片６４の隙間が少ない底部を形成することができる。また、組み立てた箱体が折り畳まれた状態に後戻りしないため、組立作業の効率が良好となる。さらに、機械による自動組立や手作業の組立のいずれによっても安定して組み立てることができ、しかもロック機構は強化されているが、廃棄の際は手で扁平な折り畳み状態に戻すことができ、紙資源として回収等が容易である。
【００２３】
なお、この発明の脱落防止包装用箱は、上記実施形態に限定されるものではなく、箱体の大きさや形状は、内容物に合わせて適宜変更可能である。箱体形成片の素材も、紙や合成樹脂等、適宜変更可能である。第一ロック片と第二ロック片の形状も自由であり、確実に底蓋片に重ねられ係止されるものであれば良い。
【符号の説明】
【００２４】
１０  脱落防止包装用箱
１２  箱体形成片
１４，１６，１８，２０  側面
２２  糊付片
４０  第一底蓋片
４４  第一底部差込片
４４ａ，５２ａ，６８ａ，７６ａ  縁部
４６，５４，７０，７８  凹部
４８，７２  底部糊付片
６０，８４  底フラップ
６４  第二底蓋片
６８  第二底部差込片
７６  第二ロック片
【図１】
0005577056.tif 000002
【図２】
0005577056.tif 000003
【図３】
0005577056.tif 000004